(57)【要約】【課題】集塵性能を高め薄形化を図ることができる電気集塵ユニットを提供することを目的とする。【解決手段】下流方向に尖先部５を設けた複数の針状電極１と、針状電極１と平行に設けた平行電極３と、針状電極１の尖先部５に面して下流側に開孔電極４とを備え、平行電極３と開孔電極４は針状電極１を囲むように略コの字状に配設したことにより、針状電極１から対向電極への放電が多方向となり、集塵性能の向上が実現でき、また、針状電極１を開孔電極４に近づけて配置可能となり、薄形化を図ることのできる電気集塵ユニットが得られる。【選択図】図１
2006224054.tif 000002
【特許請求の範囲】
【請求項１】
下流方向に尖先部を設けた複数の針状電極と、この針状電極と平行に設けた平行電極と、前記針状電極の尖先部に面して下流側に配置した開孔電極とを備え、前記平行電極と前記開孔電極は前記針状電極を囲むように略コの字状に配設した電気集塵ユニット。
【請求項２】
針状電極の尖先部から平行電極までの距離と開孔電極までの距離を同一に形成した請求項１記載の電気集塵ユニット。
【請求項３】
針状電極の尖先部から平行電極までの放電距離を６ｍｍ〜１５ｍｍとし、放電電極の印加電圧を−４ＫＶ〜−８ＫＶに設定した請求項１または２記載の電気集塵ユニット。
【請求項４】
針状電極板に設けられる針状電極のピッチを８ｍｍ〜３０ｍｍとした請求項１〜３記載の電気集塵ユニット。
【請求項５】
針状電極板を板金で形成し、針状電極を鋭角状の尖先部と補強するように広げた根元部とにより形成した請求項１〜３記載の電気集塵ユニット。
【請求項６】
複数の針状電極を有し平行で等間隔に配設した針状電極板と、この針状電極板と平行で等間隔に設けられる板状の平行電極と、この平行電極を支持する板状の開孔電極とを備え、前記針状電極板および前記平行電極の数量と開孔電極の大きさを調整して、設置面積の増減に対応可能とした請求項１記載の電気集塵ユニット。
【請求項７】
開孔電極に接触して下流側に集塵フィルターを配置した請求項１〜４記載の電気集塵ユニット。
【請求項８】
開孔電極に接触して下流側に脱臭フィルターを配置した請求項１〜４記載の電気集塵ユニット。
【請求項９】
開孔電極の下流側に設けた集塵フィルターまたは脱臭フィルターを導電性を有するように形成した請求項７または８記載の電気集塵ユニット。
【請求項１０】
開孔電極の上流側に集塵フィルターまたは脱臭フィルターを並列に配置し、少なくとも、集塵フィルターまたは脱臭フィルターの裏面を前記開孔電極に接触させた請求項１記載の電気集塵ユニット。
【請求項１１】
開孔電極の上流側に配置した集塵フィルターまたは脱臭フィルターを導電性とし、前記集塵フィルターまたは脱臭フィルターの上面位置を、針状電極の尖先部から平行電極までの距離と同一距離となる位置に設けた請求項１０記載の電気集塵ユニット。
【請求項１２】
多層添着が困難な複数の薬剤成分を２枚以上の集塵フィルターと脱臭フィルターに分けて添着した請求項１０記載の電気集塵ユニット。
【請求項１３】
開孔電極の上流側に第１の集塵フィルターまたは脱臭フィルターを配置し、前記開孔電極の下流側に第２の集塵フィルターまたは脱臭フィルターを配置した請求項１記載の電気集塵ユニット。
【請求項１４】
開孔電極の上流側に設けた第１の集塵フィルターまたは脱臭フィルターの数量および前記開孔電極の下流側に設けた第２の集塵フィルターまたは脱臭フィルターの大きさを調整して設置面積の増減に対応可能とした請求項１３記載の電気集塵ユニット。
【発明の詳細な説明】
【技術分野】
【０００１】
本発明は、空気調和機等の空気流路に設け、空気調和される空気中に含まれる粉塵等を除去する電気集塵ユニットに関する。
【背景技術】
【０００２】
従来、この種の電気集塵ユニットには針状の放電電極を設けたものが知られている（例えば、特許文献１参照）。
【０００３】
以下、その電気集塵ユニットについて図１４を参照しながら説明する。
【０００４】
図に示すように、吸込口１０１および吹出口１０２を形成したフィルター枠１０３の吸込口１０１側に針状の放電電極１０４を設け、放電電極１０４と対向しフィルター枠１０３の吹出口１０２内にラスまたはパンチングメタル等の通気可能なアース電極１０５を設け、アース電極１０５の風下側にフィルター１０６を設け、フィルター装置１０７を形成していた。
【特許文献１】特開２００３−１０７３１号公報（〔００１４〕、図１）
【発明の開示】
【発明が解決しようとする課題】
【０００５】
このような従来の電気集塵ユニットでは、針状の放電電極の先端は、アース電極１０５に略平行な方向に向いており、集塵性能が未だ不十分で薄形に形成できないという課題があり、集塵性能を高め薄形に形成することが要求されている。
【０００６】
本発明は、上記課題を解決するものであり、集塵性能を高め薄形化を図ることができる電気集塵ユニットを提供することを目的としている。
【課題を解決するための手段】
【０００７】
本発明の電気集塵ユニットは上記目的を達成するために、下流方向に尖先部を設けた複数の針状電極と、この針状電極と平行に設けた平行電極と、前記針状電極の尖先部に面して下流側に配置した開孔電極とを備え、前記平行電極と前記開孔電極は前記針状電極を囲むように略コの字状に配設したものである。
【０００８】
この手段により、集塵性能の向上と薄形化を図ることのできる電気集塵ユニットが得られる。
【０００９】
また、他の手段は、針状電極の尖先部から平行電極までの距離と開孔電極までの距離を同一に形成したものである。
【００１０】
この手段により、集塵効率の向上を図ることのできる電気集塵ユニットが得られる。
【００１１】
また、他の手段は、針状電極の尖先部から平行電極までの放電距離を６ｍｍ〜１５ｍｍとし、放電電極の印加電圧を−４ＫＶ〜−８ＫＶに設定したものである。
【００１２】
この手段により、集塵効率のばらつきを抑え、高捕集率を確保できる電気集塵ユニットが得られる。
【００１３】
また、他の手段は、針状電極板に設けられる針状電極のピッチを８ｍｍ〜３０ｍｍとしたものである。
【００１４】
この手段により、集塵効率の向上を図ることのできる電気集塵ユニットが得られる。
【００１５】
また、他の手段は、針状電極板を板金で形成し、針状電極を鋭角状の尖先部と補強するように広げた根元部により形成したものである。
【００１６】
この手段により、放電針の溶着工程が削減でき、コストダウンを可能とした電気集塵ユニットが得られる。
【００１７】
また、他の手段は、複数の針状電極を有し平行で等間隔に配設した針状電極板と、この針状電極板と平行で等間隔に設けられる板状の平行電極と、この平行電極を支持する板状の開孔電極とを備え、前記針状電極板および、前記平行電極の数量と開孔電極の大きさを調整して設置面積の増減に対応可能としたものである。
【００１８】
この手段により、各種エアコンの通風面の形状や大きさに適応した設計ができ、部品標準化によるコストダウンを図れる電気集塵ユニットが得られる。
【００１９】
また、他の手段は、開孔電極に接触して下流側に集塵フィルターを配置したものである。
【００２０】
この手段により、集塵効率の向上を可能とした電気集塵ユニットが得られる。
【００２１】
また、他の手段は、開孔電極に接触して下流側に脱臭フィルターを配置したものである。
【００２２】
この手段により、脱臭効率の向上を可能とした電気集塵ユニットが得られる。
【００２３】
また、他の手段は、開孔電極の下流側に設けた集塵フィルターまたは脱臭フィルターを導電性を有するように形成したものである。
【００２４】
この手段により、集塵効率または脱臭効率の向上を可能にした電気集塵ユニットが得られる。
【００２５】
また、他の手段は、開孔電極の上流側に集塵フィルターまたは脱臭フィルターを並列に配置し、少なくとも集塵フィルターまたは脱臭フィルターの裏面を前記開孔電極に接触させたものである。
【００２６】
この手段により、集塵効率を維持することのできる電気集塵ユニットが得られる。
【００２７】
また、他の手段は、開孔電極の上流側に配置した集塵フィルターまたは脱臭フィルターの上面位置を、針状電極の尖先部から平行電極までの距離と同一距離となる位置に設けたものである。
【００２８】
この手段により、集塵効率を向上できる電気集塵ユニットが得られる。
【００２９】
また、他の手段は、多層添着が困難な複数の薬剤成分を２枚以上の集塵フィルターに分けて添着したものである。
【００３０】
この手段により、臭気、ガス有効成分の種類に適した多用途、多機能な電気集塵ユニットが得られる。
【００３１】
また、他の手段は、開孔電極の上流側に第１の集塵フィルターまたは脱臭フィルターを配置し、前記開孔電極の下流側に第２の集塵フィルターまたは、脱臭フィルターを配置したものである。
【００３２】
この手段により、集塵効率または脱臭効率を向上できる電気集塵ユニットが得られる。
【００３３】
また、他の手段は、開孔電極の上流側に設けた第１の集塵フィルターまたは脱臭フィルターの数量および、前記開孔電極の下流側に設けた第２の集塵フィルターまたは脱臭フィルターの大きさを調整して設置面積の増減に対応可能としたものである。
【００３４】
この手段により、部品を共用化・標準化ができ、設計変更も容易に行なうことができる
電気集塵ユニットが得られる。
【発明の効果】
【００３５】
本発明によれば、集塵性能の向上と、薄形化を図ることができるという効果のある電気集塵ユニットを提供できる。
【００３６】
また、集塵効率の向上を図ることができるという効果のある電気集塵ユニットを提供できる。
【００３７】
また、集塵効率のばらつきを抑え、高捕集率を確保できるという効果のある電気集塵ユニットを提供できる。
【００３８】
また、コストダウンを図ることのできるという効果のある電気集塵ユニットを提供できる。
【００３９】
また、脱臭効率の向上を可能としたという効果のある電気集塵ユニットを提供できる。
【００４０】
また、臭気・ガス・有効成分の種類に適した多用途、多機能に対応できるという効果のある電気集塵ユニットを提供できる。
【００４１】
また、部品の共用化・標準化ができ、設計変更も容易に行うことができるという効果のある電気集塵ユニットを提供できる。
【発明を実施するための最良の形態】
【００４２】
本発明の請求項１記載の発明は、下流方向に尖先部を設けた複数の針状電極と、この針状電極と平行に設けた平行電極と、前記針状電極の尖先部に面して下流側に配置した開孔電極とを備え、前記平行電極と前記開孔電極は前記針状電極を囲むように略コの字状に配設したものであり、針状電極の尖先部から対向電極への放電が多方向に可能となり、集塵性能の向上を実現でき、また、針状電極を開孔電極に近づけて配置可能としたことで、電気集塵ユニットの薄形化を可能にするという作用を有する。
【００４３】
また、請求項２記載の発明は、針状電極の尖先部から平行電極までの距離と開孔電極までの距離を同一に形成したものであり、針状電極の尖先部から平行電極と開孔電極間の距離が均等に配置されることとなり、放電のばらつきが抑えられ、平行電極と開孔電極を略コの字状に配設することにより形成される空間に均等に放電され、集塵性能が良好となり集塵効率の向上を実現できるという作用を有する。
【００４４】
また、請求項３記載の発明は、針状電極の尖先部から平行電極までの放電距離を６ｍｍ〜１５ｍｍとし、放電電極に応じて印加電圧を−４ＫＶ〜-8ＫＶに設定したものであり、有効な放電条件を得ることができ、集塵効率のばらつきが抑えられ塵挨の高捕集率を確保できるという作用を有する。
【００４５】
また、請求項４記載の発明は、針状電極板に設けられる針状電極のピッチを８ｍｍ〜３０ｍｍとしたものであり、針状電極の尖先部間のピッチは電圧が高い場合は距離が近すぎると過剰に電流が流れるため、距離を遠ざける必要があり、逆に、電圧が低い場合は距離が遠いと電流が流れなくなるので、距離を近づける必要があることから、針状電極のピッチを８ｍｍ〜３０ｍｍとすることにより、針状電極の尖先部間で干渉していた放電を抑制し、平行電極および開孔電極で均等に放電させ集塵効率の向上を可能とするという作用を有する。
【００４６】
また、請求項５記載の発明は、針状電極板を板金で形成し、針状電極を鋭角状の尖先部と補強するように広げた根元部とにより形成したことにより、針状電極を樹脂製の枠部に固定するときに補強するように広げた根元部により、強固に固定され、針状電極の尖先部は一定の位置に保持されることとなるので板金にて針状電極を形成することができ、放電針を別個に溶着する溶着工程が削減でき、コストダウンを可能にできるという作用を有する。
【００４７】
また、請求項６記載の発明は、複数の針状電極を有し、平行で等間隔に配設した針状電極板と、この針状電極板と平行で等間隔に設けられる板状の平行電極と、この平行電極を支持する板状の開孔電極とを備え、前記針状電極板および前記平行電極の数量と開孔電極の大きさを調整して、設置面積の増減に対応可能としたものであり、平行電極と針状電極板および開孔電極からなる一つの集塵ユニット部を基本ユニットとして展開可能としているので、平行電極と針状電極板は部品の共有化が図れ、開孔電極については、部品面積を増加させるだけで基本ユニットの整数倍に拡大することができ、そのことにより各種エアコンの通風面の形状や大きさに適応した設計ができ、部品標準化によるコストダウンを図れるという作用を有する。
【００４８】
また、請求項７記載の発明は、開孔電極に接触して下流側に集塵フィルターを配置したものであり、高圧印加された針状電極の尖先部からの放電により帯電した挨を集塵フィルターで捕集し、集塵効率の向上を可能にしたという作用を有する。
【００４９】
また、請求項８記載の発明は、開孔電極に接触して下流側に脱臭フィルターを配置したものであり、高圧印加された針状電極の尖先部からの放電により帯電した挨とともに臭気成分が脱臭フィルターで捕集され、集塵機能を発揮するとともに脱臭効率の向上を可能としたという作用を有する。
【００５０】
また、請求項９記載の発明は、開孔電極の下流側に設けた集塵フィルターまたは脱臭フィルターを導電性を有するように形成したものであり、開孔電極と接触している導電性のある集塵フィルターまたは脱臭フィルターの表面全体をアース電位にすることができ、そのところに高電圧を印加された針状電極の尖先部からの放電により帯電した挨や、挨に含まれる臭気成分を確実に捕集して、集塵効率または脱臭効率の向上を可能にしたという作用を有する。
【００５１】
また、請求項１０記載の発明は、開孔電極の上流側に集塵フィルターまたは脱臭フィルターを並列に配置し、少なくとも集塵フィルターまたは脱臭フィルターの裏面を前記開孔電極に接触したものであり、集塵フィルターまたは脱臭フィルターにより形成されるフィルター全体をアース電位にでき、高圧印加された針状電極の尖先部近傍にて帯電した挨を、フィルター全体で捕集でき、集塵効率の向上を可能とすることができ、さらに実施の電気集塵ユニットでは平行電極にフィルター側面を接触させているので、フィルター側面からもアース電位を維持できることにより集塵効率を維持することができるという作用を有する。
【００５２】
また、請求項１１記載の発明は、開孔電極の上流側に配置した集塵フィルターまたは脱臭フィルターを導電性とし、前記集塵フィルターまたは脱臭フィルターの上面位置を針状電極の尖先部から平行電極までの距離と同一距離となる位置に設けたものであり、集塵フィルター上面部に集中して放電されることがなく、集塵フィルターと平行電極に略均等に放電され、帯電した挨を即座に集塵フィルターに捕集することができ、集塵効率を向上させることを可能としたという作用を有する。
【００５３】
また、請求項１２記載の発明は、多層添着が困難な複数の薬剤成分を２枚以上の集塵フィルターに分けて添着したものであり、フィルターへの添着が同時に不可能な薬剤を複数設けられるフィルター毎に添付でき、１つの電気集塵ユニットにおいて、臭気・ガス・有効成分の種類に適した多用途、多機能な電気集塵ユニットが実現できるという作用を有する。
【００５４】
また、請求項１３記載の発明は、開孔電極の上流側に第１の集塵フィルターまたは脱臭フィルターを配置し、前記開孔電極の下流側に第２の集塵フィルターまたは脱臭フィルターを配置したものであり、上流側と下流側の集塵フィルターまたは脱臭フィルターの２層構造を実現して用途に応じたフィルター配置の変更が可能であるとともに、集塵効率または脱臭効率を向上させることができるという作用を有する。
【００５５】
また、請求項１４記載の発明は、開孔電極の上流側に設けた第１の集塵フィルターまたは脱臭フィルターの数量および前記開孔電極の下流側に設けた第２の集塵フィルターまたは脱臭フィルターの大きさを調整して設置面積の増減に対応可能としたものであり、各種エアコンの形状・大きさに対して、開孔電極の上流側に同一形状のフィルターの数量を増やして対応でき、部品を共用化・標準化でき設計変更も容易に行なうことのできるという作用を有する。
【００５６】
以下、本発明の実施の形態について図面を参照しながら説明する。
【００５７】
（実施の形態１）
図１〜図７に示すように、複数の針状電極１を有し、平行で等間隔に配設した針状電極板２と、針状電極板２と平行で等間隔に設けた板状の平行電極３と、平行電極３を支持する板状の開孔電極４とを設け、針状電極１は尖先部５を下流方向に向け、針状電極１の尖先部５に面して下流側に開孔電極４を設け、平行電極３と開孔電極４は針状電極１を囲むように略コの字状に配設する。
【００５８】
また、針状電極１の尖先部５から平行電極３までの距離Ｌと開孔電極４までの距離Ｌを同一距離とし、針状電極１の尖先部５から平行電極３までの放電距離Ｌを６ｍｍ〜１５ｍｍとし、針状電極１の放電距離Ｌに応じて印加電圧を−４ＫＶ〜−８ＫＶに設定し、針状電極板２に設けられる針状電極１のピッチＰを８ｍｍ〜３０ｍｍに形成する。
【００５９】
また、針状電極板２は板金で形成し、針状電極１を鋭角状の尖先部５と補強するように広げた根元部６とにより形成し、枠部７を樹脂で成形時に根元部６に保持し、針状電極１の尖先部５の位置を安定させる。
【００６０】
また、針状電極板２および平行電極３の数量と開孔電極４の大きさを調整して設置面積の増減に対応可能に設け、開孔電極４の上流側には集塵フィルター８を設け、下流側には脱臭フィルター９を設け構成する。
【００６１】
上記構成において、空気調和機（図示せず）等の空気流路に高電圧印加装置（図示せず）を介して取り付けた電気集塵ユニットに空気が流れると吸込口に設けた針状電極１に印加されているマイナスの高電圧とアース電極となる開孔電極４により針状電極１の附近に大きな電界が形成され、また針状電極１から空気中に電子が放出されると、この電子が別の空気分子に結合するなどして空気分子がイオン化され、空気中の粉塵に付着して粉塵を帯電させ、帯電した粉塵粒子は平行電極３に捕集されるとともに、開孔電極４の上流側に設けた集塵フィルター８により粉塵が捕集される。また開孔電極４の下流側に設けた脱臭フィルター９により臭気成分が捕集され脱臭されることとなる。
【００６２】
さらに平行電極３と開孔電極４は針状電極１を囲むように略コの字状に配設されていることにより、針状電極１の尖先部５から対向電極となる平行電極３および開孔電極４への放電が多方向に可能となり、集塵性能の向上を実現できるとともに、針状電極１を開孔電極４に近づけて配置可能としたことで、電気集塵ユニットの薄形化が可能となる。
【００６３】
また、針状電極１の尖先部５から平行電極３迄の距離Ｌと、開孔電極４までの距離Ｌを同一距離としていることにより、放電のばらつきが抑えられ、平行電極３と開孔電極４を略コの字状に配設することにより形成される空間に均等に放電され集塵性能が良好となる。
【００６４】
また、針状電極１の尖先部５から平行電極３迄の放電距離Ｌを６ｍｍ〜１５ｍｍとし、放電電極となる針状電極１に応じて印加電圧を−４ＫＶ〜−８ＫＶに設定していることにより、有効な放電条件を得ることができ、集塵効率のばらつきが抑えられる。
【００６５】
また、針状電極板２に設けられる針状電極１のピッチＰを８ｍｍ〜３０ｍｍとしたことにより、針状電極１の尖先部５間で干渉していた放電範囲を適正に保ち、平行電極３および開孔電極４で均等に放電される。
【００６６】
また、針状電極板２を板金で形成し、針状電極１を鋭角状の尖先部５と補強するように広げた根元部６とにより形成したことにより、針状電極１を樹脂製の枠部７に固定するときに、補強するように広げた根元部６により強固に固定され、針状電極１の尖先部５は一定の位置に保持されることとなり、小ピッチの針状電極１を板金加工により形成することが可能となる。
【００６７】
また、針状電極板２および平行電極３の数量と開孔電極４の大きさを調整して設置面積の増減に対応可能としたことにより、針状電極板２および開孔電極４からなる一つの集塵ユニット部を基本ユニットとして展開が可能となり、針状電極板２と平行電極３は部品の共有化が図れ、開孔電極４については部品面積を増加させるだけで基本ユニットの整数倍に拡大することができ、そのことにより、各種エアコンの通風面の形状や大きさに適応した設計ができ、部品の標準化によるコストダウンが図れることとなる。
【００６８】
（実施の形態２）
図８に示すように、開孔電極４Ａに接触して下流側に集塵フィルター８Ａまたは脱臭フィルター９Ａを設け構成する。
【００６９】
上記構成において、開孔電極４Ａの下流側に接触して集塵フィルター８Ａを設けた場合には、高電圧の印加された針状電極１の尖先部５からの放電により帯電した挨を捕集することができる。
【００７０】
また、開孔電極４Ａの下流側に接触して脱臭フィルター９Ａを設けた場合には、高電圧の印加された針状電極１の尖先部５からの放電により帯電した挨とともに臭気成分を捕集し、脱臭機能を発揮するとともに集塵効率の向上が図れる。
【００７１】
（実施の形態３）
図９に示すように、開孔電極４Ｂの下流側に設けた集塵フィルター８Ｂまたは脱臭フィルター９Ｂを導電性を有するように形成し構成する。
【００７２】
上記構成において、開孔電極４Ｂと接触している導電性のある集塵フィルター８Ｂを設けている場合には、集塵フィルター８Ｂの表面全体をアース電位にすることができ、そのところに高電圧が印加された針状電極１の尖先部５からの放電により帯電した挨は集塵フィルター８Ｂにより捕集され集塵効率が向上される。
【００７３】
また、開孔電極４Ｂと接触している導電性のある脱臭フィルター９Ｂを設けている場合には、脱臭フィルター９Ｂの表面全体をアース電位にすることができ、そのところに高電圧の印加された針状電極１の尖先部５からの放電により帯電した挨と、挨に含まれる臭気成分が捕集され集塵効率および脱臭効率が向上される。
【００７４】
（実施の形態４）
図１０に示すように、開孔電極４Ｃの上流側に複数の集塵フィルター８Ｃまたは脱臭フィルター９Ｃを並列に配置し、配置された集塵フィルター８Ｃまたは脱臭フィルター９Ｃの裏面を開孔電極４Ｃに接触させ、平行電極３Ａに集塵フィルター８Ｃまたは脱臭フィルター９Ｃの側面を接触させて構成する。
【００７５】
上記構成において、開孔電極４Ｃの上流側に集塵フィルター８Ｃを配設した場合には、集塵フィルター８Ｃをアース電位にでき、高圧印加された針状電極１の尖先部５近傍にて帯電した挨を、並列に設けた集塵フィルター８Ｃ全体で捕集できる。
【００７６】
また、開孔電極４Ｃの上流側に脱臭フィルター９Ｃを配置した場合には、脱臭フィルター９Ｃをアース電位にでき、高圧印加された針状電極１の尖先部５近傍にて帯電した挨と、挨に含まれる臭気成分を並列に設けた脱臭フィルター９Ｃ全体で捕集できる。
【００７７】
また、平行電極３Ａに集塵フィルター８Ｃまたは脱臭フィルター９Ｃの側面を接触させていることにより、裏面がアース接続された集塵フィルター８Ｃまたは脱臭フィルター９Ｃの側面でもアース接続されてアース電位が広く保たれ、集塵効率または脱臭効率を維持することができる。
【００７８】
(実施の形態５)
図１１に示すように、開孔電極４Ｄの上流側に配置した集塵フィルター８Ｄまたは脱臭フィルター９Ｄを導電性とし、集塵フィルター８Ｄまたは脱臭フィルター９Ｄの上面位置を針状電極１Ａの尖先部５Ａから平行電極３Ｂまでの距離Ｌと同一の距離Ｌとなる位置に設け構成する。
【００７９】
上記構成において、開孔電極４Ｄの上流側に集塵フィルター８Ｄを配置した場合には、集塵フィルター８Ｄの上面を、針状電極１Ａの尖先部５Ａから平行電極３Ｂまでの距離Ｌと同一とすることで、集塵フィルター８Ｄの上面部に集中して放電されることがなくなり、集塵フィルター８Ｄと平行電極３Ｂに略均等に放電され、放電範囲も拡がることになり、集塵効率を向上することができる。
【００８０】
また、開孔電極４Ｄの上流側に脱臭フィルター９Ｄを配置した場合には、脱臭フィルター９Ｄの上面を、針状電極１Ａの尖先部５Ａから平行電極３Ｂまでの距離と同一とすることで、脱臭フィルター９Ｄの上面部に集中して放電されることがなくなり、脱臭フィルター９Ｄと平行電極３Ｂに略均等に放電され、帯電した挨と、挨に含まれる臭気成分を捕集することができ、集塵効率および脱臭効率を向上することができる。
【００８１】
(実施の形態６)
図１２に示すように、多層添着の困難な複数の薬剤成分１０または１０Ａを、平行電極３Ｃにより区画されて設けられる２枚の集塵フィルター８Ｅと８Ｆまたは脱臭フィルター９Ｅと９Ｆの各集塵フィルター８Ｅと８Ｆまたは脱臭フィルター９Ｅと９Ｆ毎に分けて添着し構成する。
【００８２】
上記構成において、開孔電極４Ｅの上流側に薬剤成分１０を添着した集塵フィルター８Ｅと、薬剤成分１０Ａを添着した集塵フィルター８Ｆを平行電極３Ｃを介して並列に設けた場合には、挨は集塵フィルター８Ｅと８Ｆで捕集されるとともに、各集塵フィルター８Ｅと８Ｆ毎に異なる薬剤成分１０または１０Ａが添着されていることにより、例えば薬剤成分１０においてはウィルスなどの有害成分が不活化され、他方の薬剤成分１０Ａにおいては、アレルゲンなどの他の有害成分が不活化または分解され、複数の種類の異なる有害成分を不活化または分解することができる。
【００８３】
また、開孔電極４Ｅの上流側に薬剤成分１０を添着した脱臭フィルター９Ｅと、薬剤成分１０Ａを添着した脱臭フィルター９Ｆを平行電極３Ｃを介して並列に設けた場合には、挨および挨に含まれる臭気成分が脱臭フィルター９Ｅと９Ｆで捕集されるとともに、各脱臭フィルター９Ｅと９Ｆ毎に異なる薬剤成分１０または１０Ａが添着されていることにより、薬剤成分１０においては臭気成分を含む有害ガスを、薬剤成分１０Ａにおいては雑菌などの有害物を不活化または分解することができる。
【００８４】
なお実施の形態６では、２枚の集塵フィルター８Ｅと８Ｆまたは脱臭フィルター９Ｅと９Ｆを用いて説明したが、２枚以上にして他の薬剤成分を添着したものを用いてもよく、その作用効果に差異を生じない。
【００８５】
(実施の形態７)
図１３に示すように、開孔電極４Ｆの上流側に第１の集塵フィルター１１または第１の脱臭フィルター１２を配置し、開孔電極４Ｆの下流側に第２の集塵フィルター１３または第２の脱臭フィルター１４を設け、また、第１の集塵フィルター１１または第１の脱臭フィルター１２の数量および第２の集塵フィルター１３または第２の脱臭フィルター１４の大きさを調整できるように構成する。  
【００８６】
上記構成において、開孔電極４Ｆの上流側に第１の集塵フィルター１１を設け、下流側に第２の集塵フィルター１３を設けた場合には、針状電極１Ｂの近傍において帯電した挨が第１の集塵フィルター１１と第２の集塵フィルター１３において捕集される。
【００８７】
また、開孔電極４Ｆの上流側に第１の脱臭フィルター１２を設け、下流側に第２の脱臭フィルター１４を設けた場合には、主として挨に含まれる臭気成分が捕集される。
【００８８】
また、、開孔電極４Ｆの上流側に第１の集塵フィルター１１を設け、下流側に第２の脱臭フィルター１４を設けた場合には、第１の集塵フィルター１１で挨が捕集され、第２の脱臭フィルター１４で挨に含まれる臭気成分が捕集される。
【００８９】
また、開孔電極４Ｆの上流側に第１の脱臭フィルター１２を設け、下流側に第２の集塵フィルター１３を設けた場合には、第１の脱臭フィルター１２で挨に含まれる臭気成分が捕集され、第２の集塵フィルター１３で挨が捕集される。
【００９０】
また、電気集塵ユニットの装着されるエアコンの形状や大きさに対して開孔電極４Ｆの上流側に同一形状の第１の集塵フィルター１１の数量を増加して対応することができ、また、エアコンの大きさにより開孔電極４Ｆの大きさが変更された場合には、第２の集塵フィルター１３または第２の脱臭フィルター１４の大きさを調整して設置面積の増減に対応可能とすることができ、部品を共用化・標準化することができ、設計変更も容易に行なうことができる。
【産業上の利用可能性】
【００９１】
開孔電極に支持された平行電極を用いることにより薄形化が図れることを生かし、空気清浄機やマイナスイオン発生器等の用途にも適用できる。
【図面の簡単な説明】
【００９２】
【図１】本発明の実施の形態１の電気集塵ユニットの電極の構成を示す断面図
【図２】同、電気集塵ユニットの構成を示す断面図
【図３】（ａ）同、電気集塵ユニットの放電距離と効率の関係を示す特性図（ｂ）同、電気集塵ユニットの放電距離と高電圧出力の関係を示す特性図
【図４】同、電気集塵ユニットの針状電極のピッチ間隔を示す針状電極板の側面図
【図５】同、電気集塵ユニットの針状電極の構成を示す側面図
【図６】同、電気集塵ユニットの針状電極のピッチと高電圧出力の関係を示す特性図
【図７】同、電気集塵ユニットの平行電極と針状電極の関係を示す斜視図
【図８】（ａ）本発明の実施の形態２の電気集塵ユニットの電極と集塵フィルターの関係を示す断面図（ｂ）同、電気集塵ユニットの電極と脱臭フィルターの関係を示す断面図
【図９】（ａ）本発明の実施の形態３の電気集塵ユニットの電極と集塵フィルターの関係を示す断面図（ｂ）同、電気集塵ユニットの電極と脱臭フィルターの関係を示す断面図
【図１０】（ａ）本発明の実施の形態４の電気集塵ユニットの電極と集塵フィルターの関係を示す断面図（ｂ）同、電気集塵ユニットの電極と脱臭フィルターの関係を示す断面図
【図１１】（ａ）本発明の実施の形態５の電気集塵ユニットの電極と集塵フィルターの関係を示す断面図（ｂ）同、電気集塵ユニットの電極と脱臭フィルターの関係を示す断面図
【図１２】（ａ）本発明の実施の形態６の電気集塵ユニットの電極と集塵フィルターの関係を示す断面図（ｂ）同、電気集塵ユニットの電極と脱臭フィルターの関係を示す断面図
【図１３】（ａ）本発明の実施の形態７の電気集塵ユニットの電極と集塵フィルターの関係を示す断面図（ｂ）同、電気集塵ユニットの電極と脱臭フィルターの関係を示す断面図（ｃ）同、電気集塵ユニットの電極と集塵・脱臭フィルターの関係を示す断面図（ｄ）同、電気集塵ユニットの電極と脱臭・集塵フィルターの関係を示す断面図
【図１４】従来の電気集塵ユニットの断面図
【符号の説明】
【００９３】
１、１Ａ      針状電極
２            針状電極板
３、３Ｂ      平行電極
４、４Ａ、４Ｂ、４Ｃ、４Ｄ、４Ｆ      開孔電極
５、５Ａ      尖先部
６            根元部
８Ａ、８Ｂ、８Ｃ、８Ｄ、８Ｅ、８Ｆ    集塵フィルター
９Ａ、９Ｂ、９Ｃ、９Ｄ、９Ｅ、９Ｆ    脱臭フィルター
１０、１０Ａ  薬剤成分
１１          第１の集塵フィルター
１２          第１の脱臭フィルター
１３          第２の集塵フィルター
１４          第２の脱臭フィルター
【図１】
2006224054.tif 000003
【図２】
2006224054.tif 000004
【図３】
2006224054.tif 000005
【図４】
2006224054.tif 000006
【図５】
2006224054.tif 000007
【図６】
2006224054.tif 000008
【図７】
2006224054.tif 000009
【図８】
2006224054.tif 000010
【図９】
2006224054.tif 000011
【図１０】
2006224054.tif 000012
【図１１】
2006224054.tif 000013
【図１２】
2006224054.tif 000014
【図１３】
2006224054.tif 000015
【図１４】
2006224054.tif 000016